(57)【要約】【課題】駅構内に設置された複数の無線基地局から送信される電波を監視し、乗り換え駅到着前に乗り換え案内情報をアナウンスして利用者の車両乗り換えを効率的に行なわせる。【解決手段】利用者によって設定入力される目的駅情報に基づき、乗り換え駅を含む経路情報を取得する経路情報取得手段（経路情報取得部５４）と、乗り換え駅の１以上手前の駅構内に設置された無線基地局１から送信される信号から基地局識別情報とその信号強度情報とを判定し、利用者の乗車車両と乗り換え駅に設置された無線基地局との距離を演算して報知する制御手段（主制御部６０）と、により無線携帯端末を構成する。【選択図】図２
2008011183.tif 000002
【特許請求の範囲】
【請求項１】
設定入力される目的駅情報に基づき、乗り換え駅を含む経路情報を取得する経路情報取得手段と、
前記乗り換え駅の１以上手前の駅構内に設置された無線基地局から送信される信号から基地局識別情報とその信号強度情報とを判定し、利用者の乗車車両と前記乗り換え駅構内に設置された無線基地局との距離を演算して報知する制御手段と、
を備えたことを特徴とする携帯無線端末装置。
【請求項２】
前記制御手段は、
前記基地局識別情報が前記乗り換え駅に設置された無線基地局に該当し、かつ、その信号強度情報の変化幅が所定の値を超えたときに、利用者の乗車車両と前記乗り換え駅に設置された無線基地局とが近い距離にあると判定して報知する
ことを特徴とする請求項１記載の携帯無線端末装置。
【請求項３】
前記制御手段は、
前記信号強度情報の変化幅が、一旦、所定の値を超えた後、所定の値に戻ったときに、前記乗車車両は前記乗り換え駅を通過したと判定して報知する
ことを特徴とする請求項２記載の携帯無線端末装置。
【請求項４】
前記制御手段は、
前記乗り換え駅構内に設置された無線基地局と、利用者が携帯する携帯無線端末装置との間の距離の対数関数に従い減衰する前記信号強度情報を監視し、利用者によって入力され取り込まれた車両乗車位置番号に基づき、降車したときの乗り換えに最適なホーム進行方向を判定して報知する
ことを特徴とする請求項２記載の携帯無線端末装置。
【請求項５】
前記制御手段は、
前記経路情報判定手段により取得される、前記乗り換え駅を含む目的駅の施設情報、もしくは前記乗り換え駅で降車したときの前記進行方向を含む乗り換えホームの案内情報を表示モニタへ表示する
ことを特徴とする請求項１または４記載の携帯無線端末装置。
【請求項６】
乗り換え支援装置と、ネットワーク、および無線基地局を介して接続される携帯無線端末装置に用いられる端末プログラムであって、
設定入力される少なくとも目的駅情報に基づき、前記乗り換え支援装置から乗り換え駅を含む経路情報を取得する処理と、
前記乗り換え駅の１以上手前の駅構内に設置された前記無線基地局から送信される信号から基地局識別情報とその信号強度情報とを判定し、利用者の乗車車両と前記乗り換え駅構内に設置された無線基地局との距離を演算して報知する処理と、
を前記携帯無線端末装置のコンピュータに実行させる端末プログラム。
【請求項７】
車両に乗車した利用者が携帯する携帯無線端末装置と、
前記携帯無線端末装置から目的駅情報を含む経路検索要求を受信して経路検索を行い、乗り換え駅を含む経路情報を生成して要求のあった携帯無線端末装置に送信する乗り換え支援装置と、を有し、
前記携帯無線端末装置は、
前記乗り換え支援装置と無線基地局およびネットワークを介して接続され、前記乗り換え駅の１以上手前の駅構内に設置された無線基地局から送信される信号から基地局識別情報とその信号強度情報とを判定し、利用者の乗車車両と前記乗り換え駅構内に設置された無線基地局との距離を演算して報知する
ことを特徴とする車両乗り換え支援システム。
【発明の詳細な説明】
【技術分野】
【０００１】
本発明は、携帯無線端末装置、およびプログラム、ならびに携帯無線端末装置を用いた車両乗り換え支援システムに関するものである。
【背景技術】
【０００２】
移動無線端末の一種であるＰＨＳ（Personal Handyphone System）は、一つの基地局がカバーする範囲が狭く、端末一台あたりの周波数帯域が携帯電話より広いため、データ通信の速度が３２〜６４ｋｂｐｓと携帯電話と比較して極めて高速でＩＳＤＮ（Integrated Service Digital Network）と遜色ない好適な通信環境を提供できる。
また、基地局設備が簡易で安価な点を生かし、地下街や地下鉄駅でのインフラ整備がいち早く進み、都市部では携帯電話よりもつながりやすいという状況が生まれている。
【０００３】
ところで、従来、特許文献１に、移動無線端末に対して予め目的地のエリアコードを登録しておき、複数の無線基地局から発せられる電波信号をその移動無線端末機で受信し、当該受信した電波信号が予め登録した目的地のエリアコードと合致すれば、利用者に目的地に到着したことを報知する移動無線端末機が開示されている。
【特許文献１】特開平５−３７４６０号公報
【発明の開示】
【発明が解決しようとする課題】
【０００４】
しかしながら、上記した特許文献１に開示された技術によれば、目的の乗り換え駅に到着後、降車ホームで左右いずれの方向へ向かえば良いか、あるいは、どの経路で乗り換えるのが最も効率的かを知らなければ予定通りの乗り換えは不可能である。
【０００５】
また、乗り換え駅の構内情報を予め調査していても、自身が電車の何両目に乗車しているか、あるいはどのホームに到着するか、についてまで知っていなければ効率的な乗り換えができないことが多い。特に、地下鉄網は複雑に接続されており、かつ、ホームと電鉄車両は移動に無視できないほど長く、不慣れな利用者は乗換えが難儀であった。
【０００６】
さらに、到着時間は決まっているものの、時間に余裕があったときに、通常、乗車運賃の安い経路や乗り換えの少ない経路を予定するが、電車が遅延した場合等、約束時間に間に合うような最適な経路検索ができる車両乗り換え支援システムの構築が望まれていた。
【０００７】
本発明の目的は、利用者の車両乗り換えを効率的に行なわせることができる、携帯無線端末装置、およびプログラム、ならびに携帯無線端末装置を用いた車両乗り換え支援システムを提供することを目的とする。
【課題を解決するための手段】
【０００８】
本発明の第１の観点の携帯無線端末装置は、設定入力される目的駅情報に基づき、乗り換え駅を含む経路情報を取得する経路情報取得手段と、乗り換え駅の１以上手前の駅構内に設置された無線基地局から送信される信号から基地局識別情報とその信号強度情報とを判定し、利用者の乗車車両と乗り換え駅に設置された無線基地局との距離を演算して報知する制御手段と、を備えている。
【０００９】
好適には、前記制御手段は、前記基地局識別情報が前記乗り換え駅に設置された無線基地局に該当し、かつ、その信号強度情報の変化幅が所定の値を超えたときに、利用者の乗車車両と前記乗り換え駅に設置された無線基地局とが近い距離にあると判定して報知する。
【００１０】
好適には、前記信号強度情報の変化幅が、一旦、所定の値を超えた後、所定の値に戻ったときに、前記乗車車両は前記乗り換え駅を通過したと判定して報知する。
【００１１】
好適には、前記制御手段は、前記乗り換え駅構内に設置された無線基地局と、利用者が携帯する携帯無線端末装置との間の距離の対数関数に従い減衰する前記信号強度情報を監視し、利用者によって入力され取り込まれた車両乗車位置番号に基づき、降車したときの乗り換えに最適なホーム進行方向を判定して報知する。
【００１２】
好適には、前記制御手段は、前記経路情報判定手段により取得される、前記乗り換え駅を含む目的駅の施設情報、もしくは前記乗り換え駅で降車したときの前記進行方向を含む乗り換えホームの案内情報を表示モニタへ表示する。
【００１３】
本発明の第２の観点は、好適には、乗り換え支援装置と、ネットワーク、および無線基地局を介して接続される携帯無線端末装置に用いられる端末プログラムであって、設定入力される少なくとも目的駅情報に基づき、前記乗り換え支援装置から乗り換え駅を含む経路情報を取得する処理と、前記乗り換え駅の１以上手前の駅構内に設置された前記無線基地局から送信される信号から基地局識別情報とその信号強度情報とを判定し、利用者の乗車車両と前記乗り換え駅構内に設置された無線基地局との距離を演算して報知する処理と、を前記携帯無線端末装置のコンピュータに実行させる端末プログラムである。
【００１４】
本発明の第３の観点の車両乗り換え支援システムは、車両に乗車した利用者が携帯する携帯無線端末装置と、前記携帯無線端末装置から目的駅情報を含む経路検索要求を受信して経路検索を行い、乗り換え駅を含む経路情報を生成して要求のあった携帯無線端末装置に送信する乗り換え支援装置と、を有し、前記携帯無線端末装置は、前記乗り換え支援装置と無線基地局およびネットワークを介して接続され、前記乗り換え駅の１以上手前の駅構内に設置された無線基地局から送信される信号から基地局識別情報とその信号強度情報とを判定し、利用者の乗車車両と前記乗り換え駅構内に設置された無線基地局との距離を演算して報知する。
【発明の効果】
【００１５】
本発明によれば、駅構内に設置された複数の無線基地局から送信される電波を監視し、乗り換え駅到着前に乗り換え案内情報をアナウンスすることで、利用者の車両乗り換えを効率的に行なわせることができる。
【発明を実施するための最良の形態】
【００１６】
図１は、本発明の実施の形態にかかわる車両乗り換え支援システムのシステム構成図である。ここでは、ＰＨＳシステムが例示されている。
【００１７】
図１に示されるように、駅構内（Ａ駅、Ｂ駅、…Ｚ駅）にはそれぞれ複数の無線基地局１が設置されており、当該無線基地局１は、ＰＨＳ用接続装置および交換機との共通信号回線網であるＰＳＴＮ（Public Switched Telephone Network）／ＩＳＤＮ（Integrated Service Digital Network）等のネットワーク２経由で、ＰＨＳサービス制御局３、経路情報サーバ４に接続されている。
無線携帯端末装置５は、利用者によって携帯されるＰＨＳであり、車両に乗車した場合、その車両の移動に伴い、乗車車両、駅構内に設置された無線基地局１、ネットワーク２を経由して、ＰＨＳ制御局サーバ３、経路情報サーバ４に接続されることになる。
【００１８】
通常のＰＨＳでは、ＰＨＳ加入者が、図１中、円で示すサービスエリア内で電話の着信を継続するために予め所在する無線基地局１の位置情報を、通信事業者が管理運営するＰＨＳサービス制御局サーバ３に記憶させる位置登録が行なわれる。
【００１９】
具体的に、無線基地局１から、その無線基地局１の位置情報である基地局識別情報（ＣＳＩＤ）が報知されており、無線携帯端末装置（以下、ＰＨＳ端末という場合もある）５は、このＣＳＩＤを受信し、ＰＨＳ端末５内に既に記憶されているＣＳＩＤと異なる場合は、受信したＣＳＩＤを記憶し、さらに、ＰＨＳ端末５から自身が所在する基地局ゾーンに設置された無線基地局１に位置登録信号を送信する。
【００２０】
ＰＨＳ端末５から位置登録信号を受信した無線基地局１は、ネットワーク２を介してサービス制御局３に位置情報を送信し、ＰＨＳサービス制御局サーバ３で管理され記憶されるようになっている。
そして、車両の移動に伴いＰＨＳ端末５が移動し、所在の基地局ゾーンが変化すると新しい基地局の位置情報で登録が行なわれるようになっている。
【００２１】
一方、経路情報サーバ４は、通信事業者、電鉄事業者、もしくは他のプロバイダが管理運営し、ここでは、車両に乗車した利用者が携帯するＰＨＳ端末５から、目的駅情報を含む経路検索要求を受信して経路検索を行い、乗り換え駅を含む経路情報を生成して要求のあったＰＨＳ端末５に送信する乗り換え支援装置として動作する。
【００２２】
ここでいう経路情報の中には、乗り換え駅判定用のＣＳＩＤ、乗り換えホーム判定用のＣＳＩＤ、目的駅判定用のＣＳＩＤを含み、また、乗り換え駅を含む目的地に設置されたトイレ、コンビニ、キヨスク、自販機、精算機等、の寄り道あるいは精算を支援するための施設情報も含まれている。これらは、後述するように、ＰＨＳ内蔵のメモリに記憶される。
【００２３】
なお、経路情報サーバ４は、主要駅構内に設置され、ネットワーク２を経由して構内に設置された無線基地局１と接続され、各駅に関する最新詳細情報と、周辺電鉄の最新運行情報とが記憶されており、ユーザが所望する各種情報を要求に基づきリアルタイムに提供するもとする。
【００２４】
ＰＨＳ端末５は、経路情報サーバ４と、無線基地局１およびネットワーク２を介して接続され、乗り換え駅の１以上手前の駅構内に設置された無線基地局１から送信される信号からＣＳＩＤとその信号強度情報（ＲＳＳＩ）とを判定し、利用者の乗車車両と乗り換え駅構内に設置された無線基地局１との距離を演算して報知する無線携帯端末装置として機能し、図２に、その内部構成が機能展開され示されている。
【００２５】
図２に示されるように、ＰＨＳ端末５は、操作入力部５１と、入力情報取得部５２と、経路情報取得要求送信部５３と、経路情報取得部５４と、信号受信部５５と、基地局識別情報判定部５６と、信号強度判定部５７と、音声処理部５８と、報知部５９と、主制御部６０と、記憶部６１と、表示部６２とで構成される。
【００２６】
上記構成において、操作入力部５１を利用者が操作することにより入力される入力情報は入力情報取得部５２により取り込まれ、主制御部６０に供給される。
【００２７】
主制御部６０は、取り込まれた入力情報が目的駅を含む経路情報取得要求であった場合に経路情報取得要求送信部５３を起動する。経路情報取得要求を受信した経路情報サーバ４から送信される経路情報は、経路情報取得部５４により取得され、主制御部６０へ転送される。
このため、入力情報取得部５２と、経路情報取得要求送信部５３と、経路情報取得部５４は、利用者によって設定入力される目的駅情報に基づき、乗り換え駅を含む経路情報を取得する経路情報取得手段として機能する。
【００２８】
信号受信部５５は、無線基地局１経由で送信される電波（信号）を受信し、復調して基地局識別情報判定部５６と、信号強度判定部５７と、音声処理部５８に供給する。
【００２９】
基地局識別情報判定部５６は、復調された信号からＣＳＩＤを判別し、また、信号強度判定部５７は信号強度（電界強度）を測定し、それぞれ、図示せぬＡ／Ｄ変換器を介してデジタルデータ（ＲＳＳＩ）に変換し、主制御部６０へ転送する。また、音声信号であれば、音声処理部５８へ供給して音声信号に変換し、接続されるスピーカ経由で再生する。
【００３０】
一方、主制御部６０は、乗り換え駅の１以上手前の駅構内に設置された無線基地局１から送信される信号からＣＳＩＤとそのＲＳＳＩとを判定し、ＣＳＩＤが乗り換え駅に設置された無線基地局１に該当し、かつ、その信号強度情報の変化幅が所定の値を超えたときに、利用者の乗車車両と乗り換え駅に設置された無線基地局１とが近い距離にあると判定し、一方、信号強度情報の変化幅が、一旦、所定の値を超えた後、再度所定の値に戻ったときに、乗車車両は乗り換え駅を通過したと判定し、報知部５９を起動して報知する。
【００３１】
主制御部６０はまた、乗り換え駅構内に設置された無線基地局１と、利用者が携帯するＰＨＳ端末５との間の距離の対数関数に従い減衰する信号強度情報を監視し、利用者によって入力され取り込まれる車両乗車位置番号に基づき、降車ホーム、および降車したときの乗り換えに適したホーム進行方向を判定して報知する。
【００３２】
したがって、主制御部６０と、報知部５９とは、乗り換え駅の１以上手前の駅構内に設置された無線基地局から送信される信号から基地局識別情報とその信号強度情報とを判定し、利用者の乗車車両と前記乗り換え駅構内に設置された無線基地局との距離を演算して報知する制御手段として機能する。
【００３３】
主制御部６０は、さらに、経路情報取得部５４により取得される、乗り換え駅を含む目的駅の施設情報、もしくは乗り換え駅で降車したときの進行方向を含む乗り換えホームの案内情報を表示部６２（表示モニタ）へ表示する制御手段としても機能する。
【００３４】
一方、記憶部６１には、乗り換え駅判定用のＣＳＩＤ、目的駅判定用のＣＳＩＤ、乗車位置測定用のＣＳＩＤ、信号強度変動幅の判定閾値、そして、経路情報取得部５４により取得される案内情報を含む経路情報等が記憶される。
【００３５】
なお、信号強度は、利用者が携帯するＰＨＳ端末５との間の距離の対数関数に従い減衰するものとする。但し、反射、屈折、回折、散乱、吸収等による損失の無い誘電媒体の理想的空間（自由空間）における電力減衰量である。
【００３６】
ここで、無線基地局１のアンテナ利得を５ｄＢ、ＰＨＳ端末５のアンテナ利得を０ｄＢとし、無線基地局１出力（送信電力）を２０ｍＷ（＝１３ｄＢｍ）としたときの自由空間減衰量は、２０ｌｏｇ（４πＤ／λ）の演算式で示される。
【００３７】
上記した演算式において、λは０．１５８ｍ、周波数は１．９ＧＨｚとし、Ｄは、無線基地局アンテナとＰＨＳ端末アンテナとの距離を示す。主制御部６０は、この演算式に基づき、信号強度情報から距離を演算するものとする。
【００３８】
ＲＳＳＩと車両乗車位置との関係は図３（ａ）の表＜１＞に、また、信号強度と距離との関係は図３（ｂ）の表＜２＞で表わすことができる。但し、このとき、駅構内に設置された無線基地局１（ＡＮＴ＃０〜アンテナ＃３）と、ホーム内における車両位置（ＰＨＳ端末５）との位置関係は図４に示すとおりである。
ここで、利用者が乗車する車両位置は利用者によってＰＨＳ端末５に登録されるものとし、登録された乗車車両は記憶部６１に記憶される。上記した表＜１＞、表＜２＞に示すデータは、主制御部６０が演算することにより生成され、いずれも記憶部６１にテーブルデータとして記憶され、乗り換え判定時、主制御部６０により参照される。詳細は後述する。
【００３９】
図５は、本発明の車両乗り換え支援システムの動作を説明するために引用した動作シーケンス図である。ここでは、ＰＨＳ端末５、駅構内に設置された無線基地局１、経路情報サーバ４間の動作シーケンスが示されている。
【００４０】
以下、図５に示す動作シーケンス図を参照しながら本発明の車両乗り換え支援システムの概略動作について説明する。
【００４１】
図５に示されるように、無線基地局１は、自身の位置情報である基地局識別情報（ＣＳＩＤ）を報知しており（Ｓ３０１）、ＰＨＳ端末５は、このＣＳＩＤを受信し、ＰＨＳ端末５内に既に記憶されているＣＳＩＤと異なる場合は、受信したＣＳＩＤを記憶し、さらに、ＰＨＳ端末５から自身が所在する基地局ゾーンに設置された無線基地局１に位置登録信号を送信している。
【００４２】
利用者は、車両乗車に先立ち、まず、ＰＨＳ端末５を操作して出発地と目的地とを設定して（Ｓ３０２）、無線基地局１経由経路情報サーバ４に対して経路情報取得要求を発行する（Ｓ３０３）。
経路情報取得要求を受信した経路情報サーバ４は、乗り換え駅や時刻情報を含む初期乗車駅詳細情報を生成し（Ｓ３０４）、要求のあったＰＨＳ端末５に対して基地局１を経由して応答する（Ｓ３０５）。
【００４３】
経路情報サーバ４から送信される初期乗車駅詳細情報を受信したＰＨＳ端末５は、経路について、自分の意思を反映（オプション選択）させて初期設定、あるいは再設定を行う（Ｓ３０６）。
このとき、無線基地局１からはＣＳＩＤから成る位置情報が送信されており、ＰＨＳ端末５は、このＣＳＩＤを受信してＰＨＳ端末５内に既に記憶されているＣＳＩＤと異なる場合は、受信したＣＳＩＤを記憶し、さらに、自身が所在する基地局ゾーンに設置された無線基地局１に位置登録信号を送信している（Ｓ３０７）。
また、このとき、利用者は、携帯するＰＨＳ端末５を操作して乗車車両位置についての設定（車両番号）、および更新を行う（Ｓ３０８）。
【００４４】
以上を準備作業として実行後、ＰＨＳ端末５を携帯した利用者が車両に乗車し、目的地に向けて出発したとする。
乗車車両とともに移動するＰＨＳ端末５は、基地局ゾーン移動を伴い、都度、通過する、あるいは停車する駅構内に設置された無線基地局１から送信され受信されるＣＳＩＤと（Ｓ３０９）、先に経路情報を取得し内蔵のメモリに記憶した乗り換え駅を含む目的駅のＣＳＩＤとを比較して、乗り換え駅を含む目的駅か否かを判定する（Ｓ３１０）。
さらに、受信した信号のＲＳＳＩも判定することにより、利用者の乗車車両も判定し、乗り換え駅を含む目的駅に近づいたタイミングで報知（アラーム）を生成することができる。また、乗り換え駅の乗り換えに適したホームの進行方向も知ることができる。
ここでは、乗り換え駅の１以上手前の駅構内に設置された無線基地局１から送信される信号からＣＳＩＤとそのＲＳＳＩとを判定し、利用者の乗車車両と乗り換え駅構内に設置された無線基地局１との距離を演算して報知する。いずれも詳細は後述する。
【００４５】
続いて、利用者は、再度ＰＨＳ端末５を操作して経路情報取得要求を発行し（Ｓ３１１）、これを受信した経路情報サーバ４は、目的経路、および乗り換え経路の、出口（改札）、乗り換えホーム番号、階段／エスカレータ／エレベータ、トイレ、自販機設置場所等の詳細情報を生成し（Ｓ３１２）、基地局１経由でその詳細情報を送信し（Ｓ３１３）、ＰＨＳ端末５は、その情報を表示モニタへ表示する（Ｓ３１４）。
【００４６】
図６は、本発明の実施の形態にかかわる無線携帯端末装置の動作を説明するために引用したフローチャートである。
以下、図６に示すフローチャートを参照しながら、図２に示すＰＨＳ端末５の動作について詳細に説明する。
【００４７】
ＰＨＳ端末５（主制御部６０）は、車両が駅に到着すると、駅構内に設置された複数の基地局１（図４のＡＮＴ＃〜１＃３）から送信される信号は、信号受信部５５により受信され、信号強度判定部５７で各信号強度が判定される（Ｓ５０１）。
図３、図４に示す例に従えば、車両の先頭位置Ａでは、ＡＮＴ＃１（ＣＳ１）から１８ｄＢｍ、ＡＮＴ＃２（ＣＳ２）から−６０ｄＢｍ、ＡＮＴ＃３（ＣＳ３）から−６６ｄＢｍの信号強度を持つ電波を受信していることになる。
【００４８】
次に、主制御部６０は、記憶部６１を参照して乗車位置登録済みか否か、登録後変更は無いか否かを判定する（Ｓ５０２）。ここで、未登録の場合は、利用者に乗車位置更新操作を促し、その乗車位置情報を取得する（Ｓ５０３）。
【００４９】
一方、基地局識別情報判定部５６は、１以上手前の駅構内に設置された無線基地局１（ＡＮＴ＃１〜ＡＮＴ＃３）から送信される信号に基づき、ＣＳＩＤ＃１〜ＣＳＩＤ＃３の信号を受信していると判定し、主制御部６０へ通知する。
主制御部６０は、先に、経路情報取得部５４が取得して記憶部６１に記憶してある乗り換え駅のＣＳＩＤと、基地局識別情報判定部５６で判定されたＣＳＩＤ＃１〜ＣＳＩＤ＃３との比較照合を行ない、乗り換え駅に近づいてするか否かを判定する（Ｓ５０４）。
【００５０】
主制御部６０は、ＣＳＩＤの比較照合の結果、一致がとれたとき、さらに、信号強度判定部５７によって出力されるＲＳＳＩを参照し、その変化幅が、記憶部６１にあらかじめ記憶されてある所定の値を超えたときに（信号強度が急激に弱まる）、利用者の乗車車両と乗り換え駅に設置された無線基地局１とが比較的近い距離にあると判定する。
一方、主制御部６０は、信号強度情報の変化幅が、一旦、所定の値を超えた後、再度所定の値に戻ったときに、乗車車両は、乗り換え駅を通過したと判定し、いずれも報知部５９を起動し、アラーム等により利用者に注意を喚起する。
【００５１】
主制御部６０は、このとき、降車ホーム、および降車したときの乗り換えに適したホーム進行方向についても判定して表示部６２に表示する。
具体的に、主制御部６０は、乗り換え駅構内各ホームに設置された無線基地局１と、利用者が携帯するＰＨＳ端末５との間の距離の対数関数に従い減衰するＲＳＳＩを監視し、利用者によって入力され取り込まれる乗車位置番号に基づき、降車したときの乗り換えに最適なホーム進行方向として判定し、報知する。
【００５２】
具体的に、主制御部６０は、ＰＨＳ端末５から利用者が乗車した車両乗車位置（番号）Ａ、Ｂ、Ｃを取得し、記憶部６１を参照することにより、図３（ａ）に示すテーブル索引を行いＣＳＩＤとそのＲＳＳＩとの関係がわかる。
このとき、既に、ＣＳＩＤは特定されているため、主制御部６０は、該当ＣＳＩＤのＲＳＳＩを取得し、このＲＳＳＩに基づき、さらに図３（ｂ）に示すテーブル索引を行い、このことにより、距離が算出される。
ここで、ホーム長はあらかじめ周知であるため、主制御部６０は、算出される距離（ホーム長／２）との比較（正負判定）により、左右いずれの方向へ進行した場合に乗り換えら有利かを判定することができる。
【００５３】
主制御部６０はまた、ＣＳＩＤの比較照合により一致がとれたときに、乗り換え経路情報の取得を行なう。乗り換え経路情報は、既に経路情報取得部５４により取得され、経路変更があった場合にも都度更新され、記憶部６１に記憶されている。
主制御部６０は、記憶部６１からその情報を読み取り（Ｓ５０５）、乗り換え経路の、出口（改札）、乗り換えホーム番号、階段／エスカレータ／エレベータ、トイレ、自販機設置場所等の詳細情報を表示部６２へ出力して表示する（Ｓ５０６）。
【００５４】
続いて、主制御部６０は、先に、経路情報取得部５４が取得して記憶部６１に記憶してある目的駅のＣＳＩＤと、基地局識別情報判定部５６で判定されたＣＳＩＤ＃１〜ＣＳＩＤ＃３との比較照合を行ない、最終目的駅か否かを判定する（Ｓ５０７）。
主制御部６０は、比較照合の結果、一致がとれたとき、さらに、その信号強度情報を参照し、その信号強度情報の変化幅が、記憶部６１にあらかじめ記憶された所定の値を超えたときに、利用者の乗車車両と乗り換え駅に設置された無線基地局１とが近い距離にあると判定し、一方、信号強度情報の変化幅が、一旦、所定の値を超えた後、再度所定の値に戻ったときに、乗車車両は乗り換え駅を通過したと判定し、いずれも報知部５９を起動し、アラーム等により利用者に通知する。
【００５５】
主制御部６０はまた、ＣＳＩＤの比較照合により一致がとれたときに、目的駅経路情報の取得を行なう。目的駅経路情報は、既に経路情報取得部５４により取得され、経路変更があった場合にも都度更新され、記憶部６１に記憶されている。
主制御部６０は、記憶部６１からその情報を読み取り、目的駅の、出口（改札）、乗り換えホーム番号、階段／エスカレータ／エレベータ、トイレ、自販機設置場所等の詳細情報を表示部６２へ出力して表示する（Ｓ５０８）。
【００５６】
以上説明のように本発明の実施の形態によれば、ＰＨＳ端末５は、駅構内に設置されている無線基地局１から発せられるＣＳＩＤおよびＲＳＳＩから、自身が乗車している車両位置、乗り換え駅、乗り換えホーム、およびホーム進行方向等を容易に認識することができる。このことにより、ＰＨＳ端末５を携帯するユーザは、スムーズな乗り換えが可能になる。また、乗り換え駅を間違った場合（誤って行き過ぎた場合、誤って別方面行の車両に乗ってしまった場合）でも再検索等、回復が可能であり、目的地へスムーズに到達することができる。
また、乗り換え駅、目的駅周辺の施設情報についてもＰＨＳ端末５に表示することができ、ユーザはこの情報を閲覧することにより、時間が空いた場合等、その情報を活用して寄り道することも可能である。
【００５７】
なお、図２に示す主制御部６０は、例えばＣＰＵおよびメモリにより構成され、ＣＰＵがメモリに記録されたプログラムを読み出し逐次実行し、上記したメモリを含む周辺ＬＳＩ（不図示）を制御することにより、乗り換え駅の１以上手前の駅構内に設置された無線基地局１から送信される信号からＣＳＩＤとそのＲＳＳＩとを判定し、利用者の乗車車両と乗り換え駅構内に設置された無線基地局１との距離を演算して報知するものである。
このとき、メモリに記憶部６１が割り付けられ、また、周辺ＬＳＩとして、入力情報取得部５２、経路情報取得要求送信部５３、経路情報取得部５４、信号受信部５５、信号強度判定部５７、音声処理部５８、報知部５９、表示部６２に相当するハードウェアが用意される。
【００５８】
また、本実施形態における各部の機能を実現するためのプログラムをコンピュータ読み取り可能な記録媒体に記録して、この記録媒体に記録されたプログラムをコンピュータシステムに読み込ませ、実行することにより制御処理を行ってもよい。
なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５９】
また、上記プログラムは、このプログラムを記憶装置等に格納したコンピュータシステムから、伝送媒体を介して、あるいは、伝送媒体中の伝送波により他のコンピュータシステムに伝送されてもよい。
ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６０】
【図１】本発明の実施の形態にかかわる車両乗り換え支援システムのシステム構成図である。
【図２】本発明の実施の形態にかかわる携帯端末装置の内部構成を示すブロック図である。
【図３】信号強度と、車両乗車位置あるいは距離との関係を、表形式で示した図である。
【図４】駅構内に設置された無線基地局と、ホーム内における車両乗車位置との位置関係は説明するために引用した図である。
【図５】本本発明の実施の形態にかかわる車両乗り換え支援システムの動作を示したシーケンス図である。
【図６】本発明の実施の形態にかかわる携帯端末装置の動作を示したフローチャートである。
【符号の説明】
【００６１】
１…無線基地局、２…ネットワーク、３…ＰＨＳ制御局サーバ、４…経路情報サーバ、５…無線携帯端末（ＰＨＳ端末）、５１…操作入力部、５２…入力情報取得部、５３…経路情報取得要求送信部、５４…経路情報取得部、５５…信号受信部、５６…基地局識別情報判定部、５７…信号強度判定部、５８…音声処理部、５９…報知部、６０…主制御部、６１…記憶部、６２…表示部。
【図１】
2008011183.tif 000003
【図２】
2008011183.tif 000004
【図３】
2008011183.tif 000005
【図４】
2008011183.tif 000006
【図５】
2008011183.tif 000007
【図６】
2008011183.tif 000008